(57)【要約】【課題】警報が発生したことを示す表示の視認性を向上させることができ、また、警報が発生していた時間を速やかに知らせることができる低温貯蔵庫の警報表示装置を提供する。【解決手段】冷却装置３を有する低温貯蔵庫１に備えられた、低温貯蔵庫１の警報表示装置であって、警報が発生したことを表示する警報インジケータ７と、前記警報が発生してからの時間の経過にしたがって、前記警報インジケータ７における前記警報が発生したことの表示を、所定の経路に沿って移動させる制御装置１０とを備える。【選択図】図２
2019100573.tif 000002
【特許請求の範囲】
【請求項１】
冷却装置を有する低温貯蔵庫に備えられた、低温貯蔵庫の警報表示装置であって、
警報が発生したことを表示する警報インジケータと、
前記警報が発生してからの時間の経過にしたがって、前記警報インジケータにおける前記警報が発生したことの表示を、所定の経路に沿って移動させる制御装置とを備えたことを特徴とする、低温貯蔵庫の警報表示装置。
【請求項２】
前記警報インジケータは、前記表示として第一の態様により発光可能なランプが、前記所定の経路上に複数並べられて構成され、
前記制御装置は、前記時間の経過にしたがって、前記第一の態様により発光させる前記ランプを、一方向に隣接する他のランプに変更または拡大する
ことを特徴とする、請求項１に記載の低温貯蔵庫の警報表示装置。
【請求項３】
前記警報インジケータは、前記ランプが直線上に複数並べられて構成されている
ことを特徴とする、請求項２に記載の低温貯蔵庫の警報表示装置。
【請求項４】
前記制御装置は、前記警報が発生してから前記警報が終了するまでの期間に対応する前記ランプを、前記第一の態様により発光させる
ことを特徴とする、請求項２または３に記載の低温貯蔵庫の警報表示装置。
【請求項５】
前記複数のランプは、前記一方向側に配置された前記ランプほど古い時間帯の警報の発生状態を示すものとして予め設定され、
前記複数のランプは、それぞれに設定された前記時間帯において前記警報が発生していた場合に、前記第一の態様により発光するように、前記制御装置により制御される
ことを特徴とする、請求項４に記載の低温貯蔵庫の警報表示装置。
【請求項６】
前記複数のランプは、前記第一の態様に加えて、前記第一の態様とは異なる第二の態様で発光可能であり、
前記制御装置は、前記第一の態様で発光させるランプを除いた他のランプを、前記第二の態様で発光させる
ことを特徴とする、請求項２〜５の何れか一項に記載の低温貯蔵庫の警報表示装置。
【請求項７】
前記制御装置は、前記警報の原因毎に、前記表示の態様を変更する
ことを特徴とする、請求項１〜６の何れか一項に記載の低温貯蔵庫の警報表示装置。
【請求項８】
前記制御装置は、前記冷却装置により霜取り運転が行われている最中、前記警報が発生したことの表示に替えて、霜取り運転の進行度合を前記警報インジケータに表示させることが可能であり、前記霜取り運転の進行度合の表示は、前記進行度合が進むにしたがって前記所定の経路に沿って拡大する
ことを特徴とする、請求項１〜７の何れか一項に記載の低温貯蔵庫の警報表示装置。
【発明の詳細な説明】
【技術分野】
【０００１】
本発明は、低温貯蔵庫の警報表示装置に関するものである。
【背景技術】
【０００２】
従来、スーパーマーケットなどでは、プレハブ冷蔵・冷凍庫のような冷却装置を備えた低温貯蔵庫に、食品や飲料など店舗に陳列される要冷蔵・要冷凍の商品が貯蔵されている（例えば特許文献１参照）。
低温貯蔵庫の外壁には、冷却装置をコントロールするリモートコントローラが設置されている。このリモートコントローラには、一般的に低温貯蔵庫の異常を報知する警報装置としての機能も備えられており、低温貯蔵庫に異常が発生した場合、リモートコントローラに設けられた警報ランプが点灯するようになっている。
【先行技術文献】
【特許文献】
【０００３】
【特許文献１】特開２０１６−１３８７１７号公報
【発明の概要】
【発明が解決しようとする課題】
【０００４】
ところで、商品の運搬作業を行うとき以外、作業者は、大半の時間、低温貯蔵庫から比較的離れた場所（例えば低温貯蔵庫から５ｍ〜１０ｍ程度離れた場所）で作業を行っている。このため、従来のリモートコントローラでは、異常が発生して警報ランプが点灯しても、作業者がこの点灯に気づかないことがあった。
また、作業者は、警報ランプの点灯に気づいても、この警報ランプがいつから点灯していたのか分からないため、異常が発生してからの経過時間に応じた適切な対応を速やかに取れないことがあった。
【０００５】
本発明は、このような課題を解決するためになされたものであり、警報が発生したことを示す表示の視認性を向上させることができ、また、警報が発生していた時間を速やかに知らせることができる低温貯蔵庫の警報表示装置を提供することを目的とする。
【課題を解決するための手段】
【０００６】
上記目的を達成するために、本発明の低温貯蔵庫の警報表示装置は、冷却装置を有する低温貯蔵庫に備えられた、低温貯蔵庫の警報表示装置であって、警報が発生したことを表示する警報インジケータと、前記警報が発生してからの時間の経過にしたがって、前記警報インジケータにおける前記警報が発生したことの表示を、所定の経路に沿って移動させる制御装置とを備えたことを特徴とする。
【発明の効果】
【０００７】
本発明によれば、警報の表示の視認性を向上させることができ、また、警報の発生時期を容易に知らせることができる。
【図面の簡単な説明】
【０００８】
【図１】本発明の一実施形態のプレハブ冷凍庫の全体構成を示す模式図
【図２】本発明の一実施形態のプレハブ冷凍庫の全体の制御構成を示す模式的なブロック図
【図３】本発明の一実施形態のリモコンの構成を示す模式的な正面図
【図４】本発明の一実施形態の警報インジケータの動作の一例を説明するための模式図
【図５Ａ】本発明の一実施形態の変形例の構成を示す模式的な正面図
【図５Ｂ】本発明の一実施形態の変形例の構成を示す模式的な正面図
【図５Ｃ】本発明の一実施形態の変形例の構成を示す模式的な正面図
【発明を実施するための形態】
【０００９】
以下、本発明の一実施形態ついて図面を参照しながら説明する。
この実施形態では、冷凍又冷蔵しながら商品を貯蔵する低温貯蔵庫が、プレハブ冷凍庫（以下「冷凍庫」と称する）により構成される。
【００１０】
［１．構成］
［１−１．全体構成］
図１を参照して、本発明の一実施形態の冷凍庫１の全体構成を説明する。
図１は、本発明の一実施形態の冷凍庫１の全体構成を示す模式図である。
【００１１】
図１に示す冷凍庫１は、スーパーマーケットなどの店舗の周辺に設置される。この冷凍庫１は、プレハブ庫２と、冷凍機３０及びクーリングコイル３１からなる冷凍装置３と、コントローラ４と、リモートコントローラ（以下「リモコン」と称する）５と、検出情報をコントローラ４に出力する庫内センサ１００や霜取り復帰センサ１０１などの各種センサとを備える。
プレハブ庫２は、プレハブ式の貯蔵庫であり、食品や飲料など、店舗において陳列される要冷凍の商品が貯蔵される。
【００１２】
冷凍機３０は屋外に設置される。冷凍機３０は、いずれも図示しないが、圧縮機やガスクーラや送風ファンなどを備える。冷凍機３０では、圧縮機から送られた冷媒が、ガスクーラにおいて、送風ファンから送られた外気と熱交換して冷却された後、クーリングコイル３１へと送られる。
【００１３】
クーリングコイル３１はプレハブ庫２の内部（以下「庫内」と称する）に設置される。クーリングコイル３１は、いずれも図示しないが、蒸発側熱交換器や送風ファンなどを備える。クーリングコイル３１では、蒸発側熱交換器において、送風ファンから送られた空気が、冷凍機３０から送られた低温の冷媒と熱交換して冷却され、冷風となって庫内に供給される。これにより庫内が低温に維持される。
【００１４】
コントローラ４は、庫内センサ１００や霜取り復帰センサ１０１などの各種センサの検出情報に基づいて冷凍機３０及びクーリングコイル３１の作動を制御すると共に、各種センサの検出情報に基づいて異常を検出した場合には、異常が検出されたことを示す異常情報をリモコン５に出力する。
【００１５】
リモコン５は、コントローラ４と、有線又は無線により双方向の通信を行う。作業者は、リモコン５を使用して庫内温度などの各種設定を行い、この設定情報がリモコン５からコントローラ４へ送信される。また、リモコン５は、コントローラ４から受信した検出情報などに基づいて、冷凍庫１の各種情報を表示する。
さらに、リモコン５は、図示しない警報ブザーを備えており、コントローラ４から異常情報を受信したときには、警報ブザーを作動させて警報を発生させる。
【００１６】
庫内センサ１００は、庫内の温度を検出し、霜取り復帰センサ１０１は、クーリングコイル３１の蒸発側熱交換器の温度を検出する。
【００１７】
また、冷凍庫１には、冷凍装置３の冷媒の圧力を監視する図示しない安全装置が備えられている。この安全装置は、冷媒の圧力が上限圧力を超えると冷凍装置３の運転を強制停止し、強制停止後に冷媒の圧力が上限圧力以下に戻ると、冷凍装置３の運転を再開させる。
【００１８】
［１−２．制御構成］
以下、図２を参照して、本実施形態の冷凍庫１の全体の制御構成を説明する。
図２は、本発明の一実施形態の冷凍庫１の全体の制御構成を示す模式的なブロック図である。
【００１９】
コントローラ４は、庫内センサ１００や霜取り復帰センサ１０１などの各種センサからの検出情報や、リモコン５からの設定情報を受信すると、これらの情報に基づいて、プレハブ庫２内に設置された液管電磁弁２１、クーリングコイル３１に設けられた霜取りヒータ３１ａ及び送風ファン３１ｂ、並びに冷凍機３０などの作動を制御する。
【００２０】
具体的には、コントローラ４は、例えば、庫内センサ１００の検出情報に基づいて、液管電磁弁２１のＯＮ／ＯＦＦ（開閉）や、送風ファン３１ｂの出力を制御したり、霜取りヒータ３１ａを作動させて霜取り運転を開始する際には、霜取り信号を冷凍機３０に送信して、冷凍機３０の作動を停止させたり、霜取り復帰センサ１０１により検出された蒸発側熱交換器の温度が閾値を超えた場合には、霜取り運転を終了させたりする。
【００２１】
また、コントローラ４は、冷凍機３０から冷凍機異常信号を受信したり、庫内センサ１００から閾値を超える検出情報（庫内温度情報）を受信したりした場合には、リモコン５に異常情報を出力して、上述したようにリモコン５により警報を発生させる。
【００２２】
リモコン５には、その正面に、状態表示部６、警報インジケータ７、メイン表示部８、及び、操作部９が備えられると共に、これらの作動を制御する制御装置１０が内蔵されている。
【００２３】
状態表示部６、警報インジケータ７、メイン表示部８、及び、操作部９については詳しく後述するが、ここで、概略を説明する。状態表示部６は、冷凍装置３の代表的な状態を表示し、警報インジケータ７は、警報が発生したことを表示すると共に警報が発生した時刻（以下「警報発生時刻」と称する）などを表示し、メイン表示部８は、冷凍庫１の状態情報や設定値を表示する。また、操作部９には、操作指令や各種設定情報を作業者が制御装置１０に入力するための各種スイッチなどが備えられている。
【００２４】
制御装置１０は、ＣＰＵやメモリなどを集積した電子デバイス（電子制御装置）により構成される。制御装置１０は、操作部９から入力された操作指令や各種設定値をコントローラ４に出力する。また、制御装置１０は、コントローラ４から冷凍装置３の異常情報などを受信すると、前記警報ブザーを制御して警報を発生させると共に、状態表示部６及び警報インジケータ７を制御して冷凍装置３の異常や警報に関する情報を状態表示部６及び警報インジケータ７に表示させる。
さらに、制御装置１０は、コントローラ４から庫内温度などの状態情報を受信すると、メイン表示部８や状態表示部６を制御して、この状態情報をメイン表示部８や状態表示部６に表示させる。
制御装置１０は、警報インジケータ７の表示を制御するので、警報インジケータ７と制御装置１０とにより本発明の警報表示装置が構成される。
【００２５】
制御装置１０の機能の全て又は一部を、コントローラ４に持たせて、コントローラ４が、少なくとも警報インジケータ７の表示を制御するようにしてもよい。この場合、コントローラ４が本発明の制御装置を構成し、本発明の警報表示装置が、警報インジケータ７とコントローラ４とにより構成される。
【００２６】
なお、リモコン５は、図２に示すように、状態表示部６が上方に、操作部９が下方に位置する状態（以下「設置状態」と称する）で、プレハブ庫２の外壁に設置される。
また、図２では、状態表示部６、警報インジケータ７、メイン表示部８、および、操作部９の各配置を概略で示す。
【００２７】
［１−３．リモートコントローラの構成］
以下、図３を参照して、リモコン５についてさらに説明する。
図３は、本発明の一実施形態のリモコン５の構成を示す模式的な正面図である。
【００２８】
図３に示すように、状態表示部６には、冷凍装置３の代表的な状態を示す項目６ａ（一部の項目にのみ符号を付す）として、「警報」、「監禁」、「冷凍機異常」、「異常高温」、「冷却」、「霜取り」および「停止」が表示可能となっている。
【００２９】
庫内に閉じ込められた作業者が庫内の通報ボタンを操作した場合は「監禁」が表示され、冷凍機３０から異常信号が送信されている場合は「冷凍機異常」が表示され、庫内センサ１００により検出された庫内温度が上限温度を超えた場合には「異常高温」が表示される。「監禁」や「冷凍機異常」や「異常高温」の異常が生じた場合、これらの異常を示す表示と「警報」とが両方表示される。例えば、冷凍機異常が生じた場合には、「冷凍機異常」と「警報」とが共に表示される。また、これら以外の他の異常が生じた場合、「警報」のみが表示される。「警報」の表示に際しては、リモコン５またはコントローラ４から警報音を発生させてもよい。また、これらの「警報」などの表示は、これに限定されるものではないが、本実施形態では点滅により行われる。
【００３０】
なお、上述したように庫内温度が上限温度を超えた場合には警報を発生させるが、この上限温度は予めコントローラ４に固定値として記憶されている。この上限温度よりも低い温度を準上限温度として作業者が設定できるようにし、庫内温度が上限温度を超えるに先だって、この準上限温度を超えた場合に、リモコン５から予備的な警報を発生させるようにしてもよい。
【００３１】
また、冷凍装置３が、運転中、霜取り運転中、および、停止中は、それぞれ、「冷却」、「霜取り」、および、「停止」が表示される。
なお、図３では、説明の便宜上、状態表示部６において全ての項目６ａが表示されている状態を示す。
【００３２】
警報インジケータ７は複数のランプ７０ａ〜７０ｇを備えて構成される。これらのランプ７０ａ〜７０ｇは、リモコン５の設置状態において、横方向に延在する仮想の直線上（所定の経路上）に所定の間隔をおいて並べられる。
以下、ランプ７０ａ〜７０ｇを特に区別しない場合には、ランプ７０と称する。
【００３３】
各ランプ７０には、それぞれ青色での点灯（第一の態様による発光）と、赤色での点灯（第二の態様による発光）とが可能なランプが使用される。ランプ７０の点灯色は、制御装置１０によって警報の発生状態（以下「警報状態」と称する）に応じて制御される。つまり、冷凍装置３が正常のときは青色に制御され、冷凍装置３に異常が生じるなどして警報が発生したときは赤色に制御される。
なお、警報の発生後、後述のブザー停止スイッチ９１ｃが押されたり、警報の原因となる異常が解消されたりして、警報が解除された場合は、ランプ７０の点灯色は赤色から青色に復帰する。
以下、ランプ７０が青色に点灯することを青点灯と称し、ランプ７０が赤色に点灯することを赤点灯と称する。
【００３４】
また、各ランプ７０ａ〜７０ｇの並びは、警報が発生してからの時間の経過を表現している。すなわち、ランプ７０ａ〜７０ｇの点灯は、２時間おきの過去の警報状態を示し、左側（一方向側）に位置するランプ７０ほど古い時間の警報状態を示すものとして予め設定されている。
例えば、ランプ７０ａの点灯は、現在から２時間以内の範囲（時間帯）の過去の警報状態を示し、ランプ７０ｂの点灯は、現在から２〜４時間の範囲における過去の警報状態を示す。また、ランプ７０ｇの点灯は現在から１２時間以上前の過去の警報状態を示す。
【００３５】
図３において、ランプ７０ａ〜７０ｇの横並びに表記されている「時間前」、「２」、「４」、「６」、「８」、「１０」、および、「１２」は、リモコン５の表面に印刷された文字である。これらのランプ７０ａ〜７０ｇの左右に印刷された文字により、各ランプ７０ａ〜７０ｇが示す警報状態の時間の範囲が表現されている。例えば、ランプ７０ｂの両側に「２」、「４」の文字を配置することで、ランプ７０ｂの点灯によって現在から２〜４時間の範囲における過去の状態を示すものとしている。
【００３６】
このような構成において、複数のランプ７０ａ〜７０ｇは、それぞれに設定された時間帯において警報が発生していた場合に赤点灯するよう、制御装置１０により制御される。つまり、制御装置１０は、警報が発生すると、先ず一番右にあるランプ７０ａを赤点灯させ、警報が発生してからの時間の経過にしたがって、赤点灯するランプ７０を左側（一方向側）のランプ７０へと順次変更していく。すなわち、警報が発生したことの表示である赤点灯を、前記時間の経過にしたがって、所定の経路に沿って移動させていくことで、警報インジケータ７を見た作業者がおおよその警報発生時刻を一目で確認できるようにしている。
【００３７】
なお、原因の異なる警報が複数回発生した場合には、それぞれの警報についてランプ７０が赤色に点灯される。例えば、１回目の警報から４時間あけて２回目の警報が発生した場合には、２回目の警報が発生した時点でランプ７０ａ，７０ｃがそれぞれ赤点灯することとなる。その後、赤点灯するランプ７０が、それぞれ、各警報が発生してからの時間の経過にしたがって隣接する左側のランプ７０へと順次変更される。
また、制御装置１０は、警報が発生してからこの警報が終了するまでの期間に対応するランプ７０を赤点灯させる。例えば、警報が発生してから２時間以上経過してもこの警報が解除されなかった場合、すなわち単一の警報が２時間以上継続した場合、隣り合って並ぶ複数のランプ７０（例えばランプ７０ａ，７０ｂ）が同時に赤点灯した状態となる。
【００３８】
メイン表示部８は、上述したように冷凍庫１の状態情報や設定値を表示し、それぞれ７セグメントの表示器により構成される第一表示部８ａ及び第二表示部８ｂを備える。
第一表示部８ａ及び第二表示部８ｂには関連した項目が表示される。例えば、庫内温度の履歴を表示させるときには、作業者によって選択された時刻が第二表示部８ｂに表示されると共に、この時刻における庫内温度が第一表示部８ａに表示される。また、警報履歴を表示させるときには、作業者によって選択された警報履歴における警報の原因が第一表示部８ａに表示されると共に、この警報の発生日時や解除日時が第二表示部８ｂに表示される。
【００３９】
操作部９は、複数の設定項目９０ａ（一部の設定項目にのみ符号を付す）を表示可能な項目表示部９０と、複数の操作スイッチ９１ａ〜９１ｋを備えたスイッチ部９１とを備える。
【００４０】
項目表示部９０には、操作対象として選択された設定項目９０ａが表示される。各種設定項目９０ａとして、「庫内温度」、「設定ロック」、「日時設定」、「アドレス」、「グループ」、「霜取り時刻」、「霜取り復帰」、「警報遅延」、および、「詳細設定」が、項目表示部９０に表示可能となっている。なお、図３では説明の便宜上、全て設定項目９０ａを表示させた状態を示す。
【００４１】
操作スイッチ（運転／停止スイッチ）９１ａは、冷凍装置３の運転と停止とを切り替えるスイッチである。操作スイッチ（強制霜取スイッチ）９１ｂは、冷凍装置３の霜取り運転を強制的に行わせるスイッチである。操作スイッチ（ブザー停止スイッチ）９１ｃは、リモコン５の警報ブザーを強制的に停止するスイッチである。
【００４２】
操作スイッチ（設定スイッチ）９１ｄは、リモコン５のモードを設定モードとするスイッチである。設定スイッチ９１ｄを押すことで、メイン表示部８に各種設定を行うための設定用の項目が表示され、リモコン５は、作業者により各種設定を行うことが可能な状態となる。
【００４３】
操作スイッチ（履歴スイッチ）９１ｅは、リモコン５のモードを履歴表示モードとするスイッチである。履歴スイッチ９１ｅを押すことで、メイン表示部８に、庫内温度履歴や警報履歴などの各種履歴が表示される。
【００４４】
操作スイッチ（戻るスイッチ）９１ｆは、リモコン５の操作段階を一段階又は複数段階前に戻すスイッチである。例えば、リモコン５が履歴表示モードのときに、戻るスイッチ９１ｆを押すことで、リモコン５のモードを、履歴表示モードとされる一つ前のモードに戻すことができる。
【００４５】
操作スイッチ（決定スイッチ）９１ｇは、庫内温度や霜取り時刻など各種設定を決定するためのスイッチである。決定スイッチ９１ｇを設定モードにおいて押すことで、項目表示部９０に表示されている設定項目９０ａに関する設定が、メイン表示部８に表示されている数値などに決定される。また、決定スイッチ９１ｇを履歴表示モードにおいて押すことで、各種情報を表示させる特定の警報履歴を決定することができる（これについては後述する）。
【００４６】
操作スイッチ９１ｉ〜９１ｋは、設定項目９０ａの切り替えや、メイン表示部８の表示項目の切り替えなどに使用されるスイッチである。例えば、設定モードにおいて作業者が操作スイッチ９１ｈ，９１ｉ，９１ｊ，９１ｋを押すことで、項目表示部９０に表示される設定項目９０ａを、上下左右のものに変更できる。設定項目９０ａとして「庫内温度」が表示されているときに操作スイッチ９１ｋと操作スイッチ９１ｉを順に押すことで、設定項目９０ａとして「霜取り時刻」が表示され、「霜取り時刻」が設定対象とされる。
【００４７】
ここで、警報履歴についてさらに説明すると、履歴スイッチ９１ｅなどを押すことで、リモコン５のモードが、警報に関する履歴表示モードとなって、警報の発生順を示す補助番号が第二表示部８ｂに表示されると共にこの補助番号に対応した警報の原因が第一表示部８ａ表示される。
このとき、操作スイッチ９１ｉを押すことで、履歴表示の対象となる警報を変更することができる。つまり、操作スイッチ９１ｉを押すと、第二表示部８ｂに表示される補助番号が繰り上がり、第一表示部８ａ表示される警報の原因が、この繰り上がった補助番号に対応したものに変更される。
【００４８】
そして、この第二表示部８ｂに補助番号が表示された状態において、操作スイッチ９１ｇ〜９１ｋを適宜押すことで、この補助番号に対応する警報について、警報発生日時、警報解除日時、警報発生時の庫内温度などの各種警報情報をメイン表示部８に表示できる。例えば、第二表示部８ｂに、警報の項目（例えば警報発生日時を示す表記）が表示され、第一表示部８ａに、前記項目に関する具体的な情報（例えば「１５時３０分」を示す表記）が表示される。
【００４９】
また、メイン表示部８に表示中の警報情報が、警報インジケータ７のランプ７０の赤点灯により表示中の警報に関する場合に、この点灯を点滅に切り替えてもよい。これにより、警報インジケータ７に表示されている警報と、メイン表示部８に表示中の警報情報との対応を、作業者が容易に理解できるようになる。特に、複数の警報の発生が警報インジケータ７に表示されている場合には、メイン表示部８に表示中の警報情報が、警報インジケータ７のどの表示に対応しているのかを作業者が一目で把握できるようになる。
【００５０】
［２．警報インジケータの動作］
以下、図４を参照して、警報インジケータ７の動作の一例を説明する。
図４は、本発明の一実施形態の警報インジケータ７の動作の一例を説明するための模式図である。
【００５１】
図４では、警報インジケータ７の模式図の上方に警報発生時刻を示すタイムチャートを併記したものが、時系列順に上から並べられている。
図４において、各ランプ７０ａ〜７０ｇの横方向の位置は、タイムチャートの横軸である時間軸と対応している。例えば、現在から２時間以内の過去の警報状態を示すランプ７０ａは、タイムチャートにおける現在から２時間前までの時間帯Ａ１の下に表記されている。
なお、図４では、便宜的に、赤点灯しているランプ７０を黒塗りで示し、青点灯しているランプ７０を白抜きで示す。
【００５２】
警報インジケータ７の動作を時系列順に（すなわち図４において上から順に）説明する。
【００５３】
（警報発生）
全てのランプ７０ａ〜７０ｇが、冷凍装置３が正常であることを示す青点灯状態において、時刻ｔ１で警報が発生すると、現在（時刻ｔ１）から２時間前までの過去の警報状態を示すランプ７０ａが、警報が発生したことを示す赤点灯状態となる。
【００５４】
（警報解除）
警報が発生してから１時間経過後の時刻ｔ２に警報が解除されると、警報の継続期間（すなわち時刻ｔ１〜ｔ２の期間、以下、警報期間と称する）Ｔは、その時点での現在時刻ｔ２から２時間前までの時間帯Ａ１に属するので、ランプ７０ａは赤点灯を継続する。
【００５５】
（警報発生から２時間１０分後）
警報が発生してから２時間１０分が経過すると、警報期間Ｔは、その時点での現在時刻ｔ３から２時間前までの過去の時間帯Ａ１と、現在時刻ｔ３から２〜４時間の範囲における過去の時間帯Ａ２とにまたがるようになる。このため、現在時刻から２時間前までの過去の警報状態を示すランプ７０ａと、現在から２〜４時間の範囲における過去の状態を示すランプ７０ｂとが共に赤点灯する。すなわち、赤点灯するランプ７０が、左側に隣接するランプ７０ｂに拡大する。
なお、警報期間Ｔが２つの時間帯にまたがる場合、どちらか一方の時間帯に対応するランプ７０だけが赤点灯するようにしてもよい。
【００５６】
（警報解除から２時間１０分後）
警報が解除されてから２時間１０分が経過すると、警報期間Ｔは、時間帯Ａ１から外れ、時間帯Ａ２内に収まるようになる。このため、ランプ７０ａは、赤点灯から青点灯に復帰し、ランプ７０ｂは赤点灯を継続する。
【００５７】
（警報解除から１２時間１０分後）
警報が解除されてから１２時間１０分が経過すると、警報期間Ｔは、現在時刻ｔ５から１２以上前の過去の時間帯Ａ３内に収まるようになるため、現在（時刻ｔ５）から１２時間以上前の過去の警報状態を示すランプ７０ｇが赤点灯し、その他のランプ７０ａ〜７０ｆは青点灯する。その後、ランプ７０ｇの赤点灯は、警報が解除されるまで継続される。
【００５８】
［３．作用・効果］
（１）本発明の一実施形態の警報インジケータ７によれば、警報が発生してからの時間の経過にしたがって、警報が発生したことを赤点灯により表示するランプ７０が順次変更される。すなわち、警報が発生したことの表示が所定経路に沿って移動する。
したがって、警報が発生したことを表示するランプ７０の赤点灯は、警報が解除されても維持されるので、作業者は、警報の解除後も、この警報の発生を確認できる。
さらに、作業者は、赤点灯しているランプ７０の位置（警報が発生したことの表示の位置）から、おおよその警報期間Ｔを速やかに知ることができる。
【００５９】
このような効果が得られと特に好ましい事例として、例えば、下記のようなケースがある。
作業者が周囲にいない時間帯に、冷媒圧の上昇により安全装置が作動して冷凍装置３が停止すると共に警報が発生し、その後、冷媒圧力の低下により冷凍装置３が運転を再開すると共に警報が解除され場合がある。この場合、従来のリモコンでは、警報の解除と同時に警報ランプが消灯するため、その後に作業者がリモコンをみても冷凍装置３が停止していたことを知ることができない。
【００６０】
これに対し、本発明の一実施形態の警報インジケータ７によれば、警報が発生したことの表示（ランプ７０の赤点灯）は、警報の解除後も維持されるので、このようなケースでも、作業者は、冷凍庫１に警報が発生したことを知ることができる。
さらに、作業者は、赤点灯しているランプ７０の位置からおおよその警報期間Ｔを知ることができるので、警報期間Ｔに応じて適切な対応をとることができる。つまり、警報期間Ｔすなわち冷凍装置３の停止した期間が長期間継続した場合には、商品の状態を確認したり、商品を他の低温箇所に搬送したりするなどの対応を早急に取ることができる。逆に、警報期間Ｔが僅かな時間であれば、特段の対応は不要であると判断できる。
【００６１】
（２）また、警報の発生をランプ７０の赤点灯により表示することに加え、赤点灯していないランプ７０を青点灯させるので、警報イジケータ７を構成する全てのランプ７０が点灯することとなる。したがって、単一のランプにより構成される従来の警報ランプに比べて、警報イジケータ７の点灯する面積が広くなり、遠くからでも警報イジケータ７に注目しやすくなり、ランプ７０の赤点灯による警報が発生したことの表示の視認性を向上させることができる。
【００６２】
（３）警報インジケータ７は、ランプ７０が直線上に並べられて直線形状とされているので、まとまった配置スペースが不要となり、リモコン５の空きスペースに配置するのが容易になる。
【００６３】
［４．変形例］
以下、前記一実施形態の変形例について説明する。
【００６４】
（１）図５Ａ〜図５Ｃを参照して、警報インジケータを構成するランプの配置などの変形例について説明する。
図５Ａ〜図５Ｃは、本発明の一実施形態の変形例の構成を示す模式的な正面図である。
図５Ａ〜図５Ｃでは、前記一実施形態と同様の構成要素については同一の符号を付して説明を省略し、状態表示部６、メイン表示部８、及び、操作部９についてはそれぞれ簡略化して示す。
【００６５】
図５Ａに示すリモコン５Ａでは、リモコン５のランプ７０と同様の機能を有するランプ７０Ａ（一部のランプにのみ符号を付す）を、縦に延在する直線上（所定の経路上）に間隔をあけて並べることで、警報インジケータ７Ａが構成される。この例では、赤点灯させるランプ７０Ａが、警報が発生してからの時間の経過にしたがって、下方に隣接するランプ７０Ａへと順次変更される。
【００６６】
図５Ｂに示すリモコン５Ｂでは、ランプ７０と同様の機能を有する円弧形状ランプ７０Ｂ（一部のランプにのみ符号を付す）を、円周上（所定の経路上）に隙間なく並べることで、警報インジケータ７Ｂが構成される。この例では、赤点灯させるランプ７０Ｂが、警報が発生してからの時間の経過にしたがって、時計回りに隣接するランプ７０Ｂへと順次変更される。
【００６７】
図５Ｃに示すリモコン５Ｃでは、警報インジケータ７Ｃが、横方向に延在する液晶表示器により構成される。この例では、警報が発生したことの表示として、複数の画素により形成される警報表示部７０Ｃが赤色に発光し、警報表示部７０Ｃ以外の他の画素は青色に発光するようになっている。赤色に発光する画素は、警報が発生してからの時間の経過にしたがって、左側に隣接する画素へと順次変更される。すなわち、警報表示部７０Ｃは、前記時間の経過にしたがって、所定の経路上を左側へと連続的に移動する。なお、この警報表示部７０Ｃの長さは、警報が発生していた期間が長いほど長く設定される。
【００６８】
リモコン５Ａ，５Ｂ，５Ｃのこの他の構成は、リモコン５と同様なので説明を省略する。
【００６９】
（２）前記警報インジケータ７，７Ａ，７Ｂ，７Ｃを、他の項目を表示可能に構成してもよい。
例えば、図３に示す警報インジケータ７の表示を、冷凍装置３により霜取り運転が行われている最中は、霜取り運転の進行度合いの表示に切り替えられるようにしてもよい。霜取り運転の進行度合いとは、例えば、霜取り運転開始後の経過時間Ｔｄｆや、霜取り運転が完了するまでの予測期間Ｔｅに対する前記経過時間Ｔｄｆの比率Ｒ（＝Ｔｄｆ／Ｔｅ）である。
【００７０】
警報インジケータ７に比率Ｒを表示させる場合について具体的に説明する。警報インジケータ７の表示が、比率Ｒの表示に切り替えられると、全てのランプ７０ａ〜７０ｇが青点灯する。そして、比率Ｒが所定値に達すると、先ずランプ７０ａが青点灯から赤点灯に変わる。その後、比率Ｒが大きくなるにしたがって、赤点灯するランプがランプ７０ｂ，７０ｃ…と順次増えていく（すなわち比率Ｒの表示が直線状の経路に沿って左側に拡大する）。そして、霜取り運転が完了する時点では、全てのランプ７０ａ〜７０ｇが赤点灯することとなる。
【００７１】
（３）前記警報インジケータ７，７Ａ，７Ｂ，７Ｃでは、警報が発生したことの表示とそうでない場合の表示とを、ランプ７０，７０Ａ，７０Ｂや警報表示部７０Ｃの発光色を相違させることで区別するようにした。しかし、ランプ７０，７０Ａ，７０Ｂや警報表示部７０Ｃにおいて、このような区別を行うための発光態様の相違のさせ方は、これに限定されない。例えば、ランプ７０，７０Ａ，７０Ｂや警報表示部７０Ｃにおいて、警報が発生した場合の表示が点滅により行われる一方、発生しなかった場合の表示が点灯により行われるようにしてもよい。
【００７２】
（４）前記警報インジケータ７，７Ａ，７Ｂ，７Ｃにおいて、ランプ７０，７０Ａ，７０Ｂや警報表示部７０Ｃの発光の態様が、警報の原因によって変更されるようにしてもよい。例えば、警報インジケータ７において、冷凍機の異常によって警報が発生した場合には、ランプ７０を赤色で点灯させ、庫内の異常高温によって警報が発生した場合には、ランプ７０を赤色で点滅させるようにしてもよい。
また、点滅による区別以外に発光色を変えてもよい。さらに、発光色は２色に限られず、３色以上でもよい。例えば、正常な場合は青色、予備的な警報の場合は黄色、重大な異常に関する警報であって早急な対応が必要な場合は赤色のように、３色以上の発光色を使用してもよい。
【産業上の利用可能性】
【００７３】
本発明は、プレハブ冷蔵・冷凍庫のような冷却装置を備えた低温貯蔵庫において、その警報表示装置に広く利用可能である。
【符号の説明】
【００７４】
１  プレハブ冷凍庫（低温貯蔵庫）
２  プレハブ庫
３  冷凍装置（冷却装置）
４  コントローラ
５，５Ａ，５Ｂ，５Ｃ  リモートコントローラ（リモコン）
６  状態表示部
６ａ  状態表示部に表示される項目
７，７Ａ，７Ｂ，７Ｃ  警報インジケータ
８  メイン表示部
８ａ  第一表示部
８ｂ  第二表示部
９  操作部
１０  制御装置
２１  液管電磁弁
３０  冷凍機
３１  クーリングコイル
３１ａ  霜取りヒータ
３１ｂ  送風ファン
９０  項目表示部
７０，７０Ａ，７０Ｂ，７０ａ〜７０ｇ  ランプ
７０Ｃ  警報表示部
９１  スイッチ部
９１ａ〜９１ｋ  操作スイッチ
１００  庫内センサ
１０１  霜取り復帰センサ
Ａ１，Ａ２，Ａ３  時間帯
ｔ１，ｔ２，ｔ３，ｔ４，ｔ５  時刻
【図１】
2019100573.tif 000003
【図２】
2019100573.tif 000004
【図３】
2019100573.tif 000005
【図４】
2019100573.tif 000006
【図５Ａ】
2019100573.tif 000007
【図５Ｂ】
2019100573.tif 000008
【図５Ｃ】
2019100573.tif 000009